【手続補正書】
【提出日】令和3年12月6日(2021.12.6)
【手続補正１】
【補正対象書類名】特許請求の範囲
【補正対象項目名】全文
【補正方法】変更
【補正の内容】
【特許請求の範囲】
【請求項１】
コンテンツの送信と受信とを行う端末によって実行されるプログラムであって、
前記端末とは異なる端末から送信されたコンテンツを前記端末の通信部によって受信することと、
前記端末から前記通信部によってコンテンツを送信することと、
前記異なる端末から送信されたコンテンツと、前記端末から送信されたコンテンツとに基づく、コンテンツに関するマップ情報を前記端末の制御部によって取得することと、
前記異なる端末から送信されたコンテンツと、前記端末から送信されたコンテンツと、
前記マップ情報に基づく画像と、を前記端末の表示部に表示することとが前記端末によって実行される。
【請求項２】
請求項１に記載のプログラムであって、
前記マップ情報は、コンテンツの送信頻度または、コンテンツの受信頻度に関する情報である。
【請求項３】
請求項１または請求項２に記載のプログラムであって、
前記マップ情報は、前記異なる端末から送信されたコンテンツの種別の情報と、前記端末から送信されたコンテンツの種別の情報とに基づく。
【請求項４】
請求項１から請求項３のいずれか一項に記載のプログラムであって、
前記マップ情報は、前記異なる端末から送信されたコンテンツに含まれるメッセージの文字量と、前記端末から送信されたコンテンツに含まれるメッセージの文字量とに基づく。
【請求項５】
請求項１から請求項４のいずれか一項に記載のプログラムであって、
前記表示部に表示された、前記マップ情報に基づく画像に対する前記端末のユーザによる入力に基づいて、前記入力に対応するコンテンツを前記表示部に表示することが前記端末によって実行される。
【請求項６】
請求項５に記載のプログラムであって、
前記入力は、前記表示部に表示された前記マップ情報に基づく画像に接触する操作、または非接触による操作に基づく入力である。
【請求項７】
請求項２に記載のプログラムであって、
前記マップ情報に基づく画像は、前記コンテンツの送信頻度または、コンテンツの受信頻度に基づき表示態様が変更されて前記表示部に表示される。
【請求項８】
請求項１から請求項７のいずれか一項に記載のプログラムであって、
前記マップ情報に基づく画像は、前記異なる端末から送信されたコンテンツの大きさが縮小された画像と、前記端末から送信されたコンテンツの大きさが縮小された画像とを含む。
【請求項９】
請求項８に記載のプログラムであって、
前記異なる端末から送信されたコンテンツと、前記端末から送信されたコンテンツとは、異なる態様で前記表示部に表示される。
【請求項１０】
請求項８または請求項９に記載のプログラムであって、
前記端末の前記表示部に表示されたコンテンツに対応する、前記マップ情報に基づく画像に含まれる前記縮小された画像の表示態様を変更することが前記端末によって実行される。
【請求項１１】
請求項１から請求項１０のいずれか一項に記載のプログラムであって、
前記異なる端末から送信されたコンテンツは、前記表示部のうち第１表示領域に表示され、
前記端末から送信されたコンテンツは、前記表示部のうち第２表示領域に表示され、
前記マップ情報に基づく画像は、前記表示部のうち第３表示領域に表示される。
【請求項１２】
請求項１１に記載のプログラムであって、
前記第３表示領域は、前記第１表示領域と前記第２表示領域との間の領域である。
【請求項１３】
請求項１から請求項１０のいずれか一項に記載のプログラムであって、
前記異なる端末から送信されたコンテンツは、前記表示部のうち第１表示領域に表示され、
前記端末から送信されたコンテンツは、前記表示部のうち第２表示領域に表示され、
前記マップ情報に基づく画像を前記表示部に表示する場合、前記端末から送信されたコンテンツを前記第２表示領域から前記表示部のうち第４表示領域に移動する制御を行い、前記マップ情報に基づく画像を前記第２表示領域の少なくとも一部を含む第３表示領域に表示する制御を含む。
【請求項１４】
請求項１から請求項１３のいずれか一項に記載のプログラムであって、
前記異なる端末から送信されたコンテンツと、前記端末から送信されたコンテンツとを含む複数のコンテンツのうち、前記端末のユーザによって入力された、イベントに関する開始と終了とを示す情報を前記制御部によって取得することと、
前記イベントに関する開始と終了とを示す表示を、前記マップ情報に基づく画像に含めて前記表示部に表示することとが前記端末によって実行される。
【請求項１５】
請求項１から請求項１４のいずれか一項に記載のプログラムであって、
前記マップ情報に基づく画像は、日付に関する情報を含む。
【請求項１６】
請求項１から請求項１５のいずれか一項に記載のプログラムであって、
前記異なる端末から送信されたコンテンツと、前記端末から送信されたコンテンツとは、時系列で前記表示部に表示され、
前記マップ情報は、時系列での前記コンテンツの送信頻度または、コンテンツの受信頻度を示す情報である。
【請求項１７】
コンテンツの送信と受信とを行う端末の情報処理方法であって、
前記端末とは異なる端末から送信されたコンテンツを前記端末の通信部によって受信することと、
前記端末から前記通信部によってコンテンツを送信することと、
前記異なる端末から送信されたコンテンツと、前記端末から送信されたコンテンツとに基づく、コンテンツに関するマップ情報を前記端末の制御部によって取得することと、
前記異なる端末から送信されたコンテンツと、前記端末から送信されたコンテンツと、前記マップ情報に基づく画像と、を前記端末の表示部に表示することとを含む。
【請求項１８】
コンテンツの送信と受信とを行う端末であって、
前記端末とは異なる端末から送信されたコンテンツを受信し、前記異なる端末にコンテンツを送信する通信部と、
前記異なる端末から送信されたコンテンツと、前記端末から送信されたコンテンツとに基づく、コンテンツに関するマップ情報を取得する制御部と、
前記異なる端末から送信されたコンテンツと、前記端末から送信されたコンテンツと、前記マップ情報に基づく画像と、を表示する表示部とを備える。
【手続補正２】
【補正対象書類名】明細書
【補正対象項目名】０００４
【補正方法】変更
【補正の内容】
【０００４】
本発明の第１の態様によると、コンテンツの送信と受信とを行う端末によって実行されるプログラムは、端末とは異なる端末から送信されたコンテンツを端末の通信部によって受信することと、端末から通信部によってコンテンツを送信することと、異なる端末から送信されたコンテンツと、端末から送信されたコンテンツとに基づく、コンテンツに関するマップ情報を端末の制御部によって取得することと、異なる端末から送信されたコンテンツと、端末から送信されたコンテンツと、マップ情報に基づく画像と、を端末の表示部に表示することとが端末によって実行される。
本発明の第２の態様によると、コンテンツの送信と受信とを行う端末の情報処理方法は、  端末とは異なる端末から送信されたコンテンツを端末の通信部によって受信することと、  端末から通信部によってコンテンツを送信することと、異なる端末から送信されたコンテンツと、端末から送信されたコンテンツとに基づく、コンテンツに関するマップ情報を端末の制御部によって取得することと、異なる端末から送信されたコンテンツと、端末から送信されたコンテンツと、マップ情報に基づく画像と、を端末の表示部に表示することとを含む。
本発明の第３の態様によると、コンテンツの送信と受信とを行う端末は、端末とは異なる端末から送信されたコンテンツを受信し、異なる端末にコンテンツを送信する通信部と、異なる端末から送信されたコンテンツと、端末から送信されたコンテンツとに基づく、コンテンツに関するマップ情報を取得する制御部と、異なる端末から送信されたコンテンツと、端末から送信されたコンテンツと、マップ情報に基づく画像と、を表示する表示部とを備える。